(57)【要約】【課題】肌に対する刺激を抑えつつ、毛をより短く切断することができる体毛切断装置を提供する。【解決手段】電気カミソリ１は、固定刃５０と、固定刃５０の長手方向（Ｘ軸方向）に沿って往復直線運動しながら、固定刃５０に対して摺動する可動刃６０と、を備え、固定刃５０における可動刃６０とは反対側の面（当接面５１ａ）には凹部５１１ａが形成されており、凹部５１１ａは、少なくとも一部が可動刃６０の切断領域Ｒ１に対して重なるように配置されている。【選択図】図４
2019209033.tif 000002
【特許請求の範囲】
【請求項１】
固定刃と、
前記固定刃の長手方向に沿って往復直線運動しながら、前記固定刃に対して摺動する可動刃と、を備え、
前記固定刃における前記可動刃とは反対側の面には凹部が形成されており、
前記凹部は、少なくとも一部が前記可動刃の切断領域に対して重なるように配置されている
体毛切断装置。
【請求項２】
前記凹部は、前記可動刃の非切断領域に対しては重ならないように配置されている
請求項１に記載の体毛切断装置。
【請求項３】
前記凹部は、前記可動刃の前記切断領域に対して全体が重なるように配置されている
請求項１または２に記載の体毛切断装置。
【請求項４】
前記凹部は、前記可動刃の前記切断領域に対して一致するように配置されている
請求項３に記載の体毛切断装置。
【請求項５】
前記凹部は、前記往復直線運動における移動方向視で四角形状に設けられている
請求項１〜４のいずれか一項に記載の体毛切断装置。
【請求項６】
前記固定刃は、前記往復直線運動における移動方向に沿って長尺であって、それぞれ前記固定刃の短手方向に沿って延設されるとともに前記固定刃の長手方向に沿って配列された複数の第一スリットを有し、
前記可動刃は、前記移動方向に沿って長尺であって、それぞれ前記可動刃の短手方向に沿って延設されるとともに前記可動刃の長手方向に沿って配列され、前記切断領域に隣り合う複数の第二スリットを有する
請求項１〜５のいずれか一項に記載の体毛切断装置。
【発明の詳細な説明】
【技術分野】
【０００１】
本発明は、固定刃及び可動刃を有する体毛切断装置に関する。
【背景技術】
【０００２】
従来、電気カミソリなどの体毛切断装置においては、固定刃と、往復直線移動しながら固定刃に対して摺動する可動刃とが備えられている（例えば特許文献１参照）。
【先行技術文献】
【特許文献】
【０００３】
【特許文献１】特開２０１３−１２６４３８号公報
【発明の概要】
【発明が解決しようとする課題】
【０００４】
ところで、毛を短く切断するために、ユーザは固定刃を肌に押し当てることで、毛を可動刃に接近させる場合がある。この場合、毛だけでなく肌も可動刃に接近してしまう。このため、肌に対して可動刃が触れてしまい、肌に対する刺激が増加するおそれがある。
【０００５】
そこで、本発明は、肌に対する刺激を抑えつつ、毛をより短く切断することができる体毛切断装置を提供することを目的とする。
【課題を解決するための手段】
【０００６】
上記目的を達成するため、本発明の一態様に係る体毛切断装置は、固定刃と、固定刃の長手方向に沿って往復直線運動しながら、固定刃に対して摺動する可動刃と、を備え、固定刃における可動刃とは反対側の面には凹部が形成されており、凹部は、少なくとも一部が可動刃の切断領域に対して重なるように配置されている。
【発明の効果】
【０００７】
本発明に係る体毛切断装置によれば、肌に対する刺激を抑えることができ、毛をより短く切断することができる。
【図面の簡単な説明】
【０００８】
【図１】実施の形態に係る電気カミソリの概略構成を示す斜視図である。
【図２】実施の形態に係るヘッド部を拡大して示す平面図である。
【図３】実施の形態に係るヘッド部を分解して示す分解斜視図である。
【図４】実施の形態に係るヘッド部を示す断面図である。
【図５】実施の形態に係る固定刃を肌に当接させた状態を示す断面図である。
【図６】変形例１に係る固定刃などを拡大して示す断面図である。
【図７】変形例２に係る固定刃などを拡大して示す断面図である。
【図８】変形例３に係る固定刃などを拡大して示す断面図である。
【発明を実施するための形態】
【０００９】
以下では、本発明の実施の形態に係る体毛切断装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
［電気カミソリ］
まず、実施の形態に係る電気カミソリについて説明する。図１は、実施の形態に係る電気カミソリ１の概略構成を示す斜視図である。電気カミソリ１は体毛切断装置の一例である。電気カミソリ１は、ユーザにより把持される本体部１０と、本体部１０から突出したヘッド部２０とを備えている。
【００１２】
本体部１０は、略棒状の部位であり、その内部に、ヘッド部２０に備わる可動刃６０を駆動させるための電動モータ（駆動源：図示省略）と、駆動源に電力を供給する電源部（図示省略）とを有している。また、本体部１０には、電動モータの回転を往復直線運動に変換してヘッド部２０に伝達する変換機構（図示省略）が設けられている。
【００１３】
図２は、実施の形態に係るヘッド部２０を拡大して示す平面図である。図３は、実施の形態に係るヘッド部２０を分解して示す分解斜視図である。図４は、実施の形態に係るヘッド部２０を示す断面図である。具体的には、図４は、図２におけるＩＶ−ＩＶ線を含む切断線を見た断面図である。図４では、ヘッドケース４０の図示を省略している。
【００１４】
図２〜図４に示すように、ヘッド部２０は、体毛を切断するための部位であり、基台３０と、ヘッドケース４０と、固定刃５０と、可動刃６０と、連結部７０とを備えている。
【００１５】
基台３０は、本体部１０よりも細く形成されており、当該本体部１０の先端部から突出している。具体的には、基台３０は、可動刃６０の往復直線運動の移動方向に沿って長尺となるように、本体部１０の先端部から突出している。つまり、基台３０の長手方向と、移動方向とは平行である。以降、基台３０の長手方向及び移動方向をＸ軸方向とし、基台３０の短手方向をＹ軸方向とし、ＸＹ平面に直交する方向をＺ軸方向とする。本実施の形態では、本体部１０の軸方向に対してＸ軸方向が傾いている場合を例示するが、本体部１０の軸方向に対してＸ軸方向が平行であってもよい。
【００１６】
基台３０におけるＹ軸方向の幅は、全体として均等となっている。基台３０の内部には、変換機構などが収容されている。基台３０の表面には、ヘッドケース４０が取り付けられており、基台３０の背面は、外方に向けて凸となる湾曲面となっている。
【００１７】
ヘッドケース４０は、固定刃５０、可動刃６０及び連結部７０などを収容する部位である。ヘッドケース４０は、移動方向に沿って長尺なケースであり、基台３０側の端部と、基台３０とは反対側の端部とが開放されている。
【００１８】
固定刃５０は、本体部１０から突出するようにヘッドケース４０に固定された、Ｘ軸方向に長尺な固定刃である。具体的には、固定刃５０は、ヘッドケース４０における基台３０とは反対側の端部を覆うように、ヘッドケース４０に固定されている。
【００１９】
固定刃５０は、例えば金属により形成されており、当接部５１と、支持部５２とを一体的に備えている。
【００２０】
当接部５１は、肌Ｓに当接する平板状の部位である。当接部５１には、肌Ｓが当接する当接面５１ａと、当接面５１ａとは反対側の面であって、可動刃６０が摺動する摺動面５１ｂとが設けられている（図４参照）。つまり、当接面５１ａは、可動刃６０とは反対側の面である。
【００２１】
当接部５１は、Ｚ軸方向視において基本的な外形がＸ軸方向に長尺な長方形状であり、一部が切り欠かれた形状となっている。当接部５１には、それぞれＹ軸方向（短手方向）に沿って延設されるとともにＸ軸方向（長手方向）に沿って配列された複数の第一スリット５１１が形成されている。第一スリット５１１は、Ｙ軸方向の両端部が開放されている。このため、第一スリット５１１内には、Ｙ軸方向の両側方から毛Ｈ（図４参照）が進入可能となっている。
【００２２】
当接部５１において、複数の第一スリット５１１の間の部分は第一単位刃５１２である。つまり、固定刃５０は、複数の第一単位刃５１２を有している。各第一単位刃５１２における摺動面５１ｂには、Ｘ軸方向で対向する一対の縁辺にエッジ（刃）が形成されている。
【００２３】
また、各第一単位刃５１２における当接面５１ａには、一対の凹部５１１ａが形成されている。一対の凹部５１１ａは、Ｙ軸方向に所定の間隔をあけて配置されている。各凹部５１１ａは、第一単位刃５１２に対してＸ軸方向で全体的に連続して開口している。つまり、各凹部５１１ａのＸ軸方向における両端部は、それぞれ第一スリット５１１に対して連通している。各凹部５１１ａは、往復直線運動の移動方向視（Ｘ軸方向視）で、Ｙ軸方向に長尺な長方形状に形成されている。
【００２４】
支持部５２は、当接部５１から突出し、ヘッドケース４０に支持される部位である。支持部５２は、一対の基部５２１と、各基部５２１に設けられた複数の柱部５２２とを備えている。
【００２５】
一対の基部５２１は、当接部５１における一対の長辺のそれぞれに対して設けられている。一対の基部５２１のそれぞれは、当接部５１におけるＹ軸方向の両端部から、ヘッドケース４０に向けて突出している。一対の基部５２１のそれぞれは、当接部５１の長辺の全体に対して連続して設けられている。一対の基部５２１は、互いに対向しており、先端部に向かうほど間隔が狭まるように当接部５１に対して傾斜している。また、一対の基部５２１のそれぞれには、各第一スリット５１１が連続して設けられている（図４参照）。このように、一対の基部５２１のそれぞれに第一スリット５１１が連続して設けられていれば、当接部５１の厚みよりも長い毛Ｈであっても、第一スリット５１１内に導入することが可能である。ここで、当接部５１の厚み方向はＺ軸方向である。
【００２６】
複数の柱部５２２は、各基部５２１に対して同数設けられている。複数の柱部５２２は、各基部５２１からＺ軸方向に延設されている。複数の柱部５２２は、Ｘ軸方向に沿って配列されている。複数の柱部５２２は、ヘッドケース４０内に収容された状態で、当該ヘッドケース４０に固定されている。これにより、固定刃５０がヘッドケース４０に対して固定されている。
【００２７】
可動刃６０は、Ｘ軸方向に沿って往復直線運動しながら、固定刃５０に対して摺動する可動刃である。具体的には、可動刃６０は、一対の基部５２１の間で、当接部５１に重なるように配置されている。つまり、可動刃６０は、固定刃５０の当接部５１に対して、ヘッドケース４０側で重なっている。可動刃６０には、固定刃５０に対して摺動する摺動面６０ａと、摺動面６０ａとは反対側の面であって、連結部７０が連結される連結面６０ｂとが設けられている（図４参照）。
【００２８】
可動刃６０は、Ｚ軸方向視において基本的な外形がＸ軸方向に長尺な長方形状であり、一部が切り欠かれた形状となっている。可動刃６０における一対の長辺のそれぞれには、Ｙ軸方向に沿って延設されるとともにＸ軸方向に沿って配列された複数の第二スリット６１が形成されている。各第二スリット６１は、一端部が開放されて、他端部が閉塞されている。Ｘ軸方向において、複数の第二スリット６１の間の部分は、第二単位刃６２である。つまり、可動刃６０における一対の長辺には、それぞれ複数の第二単位刃６２が設けられている。複数の第二単位刃６２は、可動刃６０の中間部６３からＹ軸方向に延び出ているとも言える。中間部６３は、可動刃６０においてＹ軸方向の中央に設けられており、Ｘ軸方向に長尺な部位である。
【００２９】
各第二単位刃６２における摺動面６０ａには、Ｘ軸方向で対向する一対の縁辺にエッジ（刃）が形成されている。このため、各第二単位刃６２における摺動面６０ａは、毛Ｈの切断に寄与する切断領域Ｒ１である（図４参照）。切断領域Ｒ１は、Ｘ軸方向において第二スリット６１に隣り合っている。
【００３０】
一方、中間部６３における摺動面６０ａは、エッジを有していない。つまり、中間部６３における摺動面６０ａは、毛Ｈの切断に寄与しない非切断領域Ｒ２である。Ｙ軸方向においては、切断領域Ｒ１、非切断領域Ｒ２及び切断領域Ｒ１という順で並んでいる。
【００３１】
ここで、Ｙ軸方向において、固定刃５０の一対の凹部５１１ａは、それぞれ可動刃６０の切断領域Ｒ１に対して全体が重なるように配置されている。具体的には、固定刃５０の一対の凹部５１１ａは、それぞれ可動刃６０の切断領域Ｒ１に対して一致するように配置されている。凹部５１１ａにおけるＹ軸方向の一端は、切断領域Ｒ１のＹ軸方向の一端に一致し、凹部５１１ａにおけるＹ軸方向の他端は、切断領域Ｒ１のＹ軸方向の他端に一致している。これにより、凹部５１１ａは、非切断領域Ｒ２に対しては重なっていない。言い換えると、固定刃５０の当接部５１は、可動刃６０の切断領域Ｒ１に対向する部分が薄肉となっており、非切断領域Ｒ２に対向する部分が厚肉となっている。
【００３２】
図２に示すように、連結部７０は、変換機構の一部をなす部材であり、可動刃６０に連結されて、当該可動刃６０に対して駆動源からの動力を伝達する部材である。具体的には、連結部７０は、台座７１と、リンク部７２とを一体的に備えている。
【００３３】
台座７１は、Ｘ軸方向に長尺に形成されており、その底面に対して可動刃６０が取り付けられている。台座７１の底面には、複数の突起７３が設けられており、各突起７３が各第二スリット６１内に配置されている。各突起７３は、固定刃５０の当接部５１を肌に押し当てたとき、肌Ｓが、第一スリット５１１を通じて第二スリット６１まで過剰に入り込むことを抑制するものである。この突起７３は省略することもできるが、設けておくことにより、可動刃６０による肌Ｓへの刺激を予防又は低減することができる。また、台座７１には、図示しない弾性部材が取り付けられており、この弾性部材の付勢力によって台座７１が可動刃６０を固定刃５０に押し付けている。この状態では、連結部７０の台座７１は、固定刃５０における複数の第一スリット５１１が形成された部位（当接部５１）に対して、可動刃６０を介して立設している。
【００３４】
リンク部７２は、一対設けられており、台座７１における底面とは反対側の面から突出している。各リンク部７２は、変換機構の他の部位に対して連結されている。駆動源からの動力が変換機構の他の部位を介してリンク部７２に伝達すると、リンク部７２及び台座７１がＸ軸方向に揺動する。ここで、上記した弾性部材の付勢力によって、台座７１が可動刃６０を固定刃５０に押し付けているので、可動刃６０は、リンク部７２及び台座７１の揺動に連動して、Ｘ軸方向に往復直線運動をすることになる。
【００３５】
この可動刃６０の往復直線運動時においては、第一単位刃５１２の摺動面５１ｂと、第二単位刃６２の摺動面６０ａとの互いのエッジがＸ軸方向で繰り返し入れ違う。第一単位刃５１２の摺動面５１ｂと、第二単位刃６２の摺動面６０ａとの互いのエッジ間に毛Ｈが進入していると、この入れ違い動作によって毛Ｈは切断される。
【００３６】
図５は、実施の形態に係る固定刃５０を肌Ｓに当接させた状態を示す断面図である。図５に示すように、固定刃５０の当接部５１を肌Ｓに押し当てると、固定刃５０の凹部５１１ａ内では肌Ｓの一部が自身の弾力によって盛り上がり、当該凹部５１１ａ内に導入される。凹部５１１ａは第一スリット５１１に連通しているので、この肌Ｓの形状は、固定刃５０の第一スリット５１１内においても維持される。これにより、毛Ｈの根本が可動刃６０に近づくため、毛Ｈが短く切断される。
【００３７】
また、凹部５１１ａは、当接部５１の一部にのみ設けられているので、当接部５１の他の部位においては、凹部５１１ａよりも厚肉である。この厚肉部によって、第一スリット５１１内で肌Ｓが過剰に盛り上がることが抑制されている。つまり、凹部５１１ａの肉厚に対応する厚さで当接部５１の全体がフラットな場合と比べても、第一スリット５１１内で肌Ｓが可動刃６０に接近しにくい。したがって、肌Ｓに対する刺激を抑制することができる。
【００３８】
特に、本実施の形態では、凹部５１１ａは、可動刃６０の非切断領域Ｒ２に対しては重なっていない。つまり、可動刃６０の非切断領域Ｒ２に対して肌Ｓが接近しにくい構造である。このため、可動刃６０の非切断領域Ｒ２が肌Ｓに対して刺激を与えにくくなっている。
【００３９】
［効果など］
以上のように、本実施の形態に係る電気カミソリ１は、固定刃５０と、固定刃５０の長手方向（Ｘ軸方向）に沿って往復直線運動しながら、固定刃５０に対して摺動する可動刃６０と、を備え、固定刃５０における可動刃６０とは反対側の面（当接面５１ａ）には凹部５１１ａが形成されており、凹部５１１ａは、少なくとも一部が可動刃６０の切断領域Ｒ１に対して重なるように配置されている。
【００４０】
これによれば、凹部５１１ａの少なくとも一部が可動刃６０の切断領域Ｒ１に対して重なっているので、固定刃５０の凹部５１１ａ内に肌Ｓの一部を導入することができる。これにより、毛Ｈの根本が可動刃６０に近づくため、毛Ｈが短く切断される。
【００４１】
例えば、ひげ剃りの初期段階においては、ユーザは固定刃５０をそれほど肌Ｓに押し当てずに毛Ｈを剃り、その後、当該部位に手を当てて毛Ｈの長さを確認する。この確認で思ったほど毛Ｈが短くなっていないと判断すると、ユーザはより大きな力で固定刃５０を肌Ｓに押し当てて毛Ｈを再度剃る。この際、肌Ｓは第一スリット５１１内で大きく盛り上がるので、可動刃６０に対して接近する可能性が高くなる。しかし、上述したように固定刃５０に凹部５１１ａが設けられていれば、ひげ剃りの初期段階から毛Ｈが短く切断されるので、ユーザが大きな力で固定刃５０を肌Ｓに押し当てること自体が低減される。つまり、肌Ｓに対する刺激を抑制することができる。
【００４２】
さらに、当接面５１ａにおける凹部５１１ａが設けられていない部分では、肌Ｓが過剰に盛り上がることが抑制されるので、肌Ｓが可動刃６０に接近しにくい。したがって、ひげ剃りの初期段階、それ以降の段階を問わず、肌Ｓに対する刺激を抑制することができる。
【００４３】
以上のことから、本実施の形態に係る電気カミソリ１は、肌Ｓに対する刺激を抑えることができ、毛Ｈをより短く切断することができる。
【００４４】
また、凹部５１１ａは、可動刃６０の非切断領域Ｒ２に対しては重ならないように配置されている。
【００４５】
これによれば、凹部５１１ａが可動刃６０の非切断領域Ｒ２に対しては重なっていない。つまり、可動刃６０の非切断領域Ｒ２に対して肌Ｓが接近しにくいので、可動刃６０の非切断領域Ｒ２が肌Ｓに対して刺激を与えにくくなっている。したがって、肌Ｓに対する刺激をより抑えることができる。
【００４６】
また、凹部５１１ａは、可動刃６０の切断領域Ｒ１に対して全体が重なるように配置されている。
【００４７】
これによれば、可動刃６０の切断領域Ｒ１に対して凹部５１１ａの全体が重なっているので、凹部５１１ａ内に導入された肌Ｓを、可動刃６０の切断領域Ｒ１の極力全体に対して近づけることができる。したがって、より広範囲に毛Ｈを短く切断することができる。
【００４８】
また、凹部５１１ａは、可動刃６０の切断領域Ｒ１に対して一致するように配置されている。
【００４９】
これによれば、可動刃６０の切断領域Ｒ１に対して一致するように凹部５１１ａが配置されているので、可動刃６０における切断領域Ｒ１以外の領域に肌Ｓを近づけにくくすることができる。したがって、肌Ｓに対する刺激をより抑制することができる。
【００５０】
また、凹部５１１ａは、往復直線運動における移動方向視（Ｘ軸方向視）で四角形状に設けられている。
【００５１】
これによれば、Ｘ軸方向視で凹部５１１ａが四角形状であるので、凹部５１１ａ内における肌Ｓの盛り上がりを阻害しにくい。このように簡単な構造で肌Ｓを可動刃６０の切断領域Ｒ１に接近させやすくすることができる。したがって、より確実に毛Ｈを短く切断することができる。
【００５２】
また、固定刃５０は、往復直線運動における移動方向（Ｘ軸方向）に沿って長尺であって、それぞれ固定刃５０の短手方向（Ｙ軸方向）に沿って延設されるとともに固定刃５０の長手方向（Ｘ軸方向）に沿って配列された複数の第一スリット５１１を有し、可動刃６０は、移動方向に沿って長尺であって、それぞれ可動刃６０の短手方向（Ｙ軸方向）に沿って延設されるとともに可動刃６０の長手方向（Ｘ軸方向）に沿って配列され、切断領域Ｒ１に隣り合う複数の第二スリット６１を有している。
【００５３】
このように、複数の第一スリット５１１を有する固定刃５０と、複数の第二スリット６１を有する可動刃６０とを備えた電気カミソリ１であっても、肌Ｓに対する刺激を抑えることができ、毛Ｈをより短く切断することができる。
【００５４】
［変形例１］
上記実施の形態では、長方形状の凹部５１１ａを有する固定刃５０を例示した。この変形例１では、台形状の凹部５１１ｃを有する固定刃５０Ｃについて例示する。
【００５５】
図６は、変形例１に係る固定刃５０Ｃなどを拡大して示す断面図である。なお、以降の説明において、上記実施の形態と同一の部分については同一の符号を付してその説明を省略する場合がある。
【００５６】
図６に示すように、変形例１に係る固定刃５０Ｃは、Ｘ軸方向視で台形状の凹部５１１ｃを有している。具体的には、凹部５１１ｃは、当接面５１ｃに対して形成されている。凹部５１１ｃは、Ｘ軸方向視において台形状であり、上底が可動刃６０側に配置され、下底が可動刃６０とは反対側に配置されている。このように凹部５１１ｃは可動刃６０側が幅の狭い台形状である。つまり、凹部５１１ｃは、可動刃６０側が幅狭で、その反対側が幅広であるので、凹部５１１ｃ内において肌Ｓを滑らかに盛り上がらせることができる。このため、凹部５１１ｃ内に導入された肌Ｓに対する刺激を抑えつつ、可動刃６０の切断領域Ｒ１に対して広範囲に肌Ｓを接近させることができる。
【００５７】
特に、変形例１では、凹部５１１ｃの上底におけるＹ軸方向の一端は、切断領域Ｒ１のＹ軸方向の一端に一致し、凹部５１１ｃの上底におけるＹ軸方向の他端は、切断領域Ｒ１のＹ軸方向の他端に一致している。このため、凹部５１１ｃ内に導入された肌Ｓを、可動刃６０の切断領域Ｒ１の極力全体に対して近づけることができる。したがって、より広範囲に毛Ｈを短く切断することができる。
【００５８】
なお、凹部は、長方形、台形以外の四角形であってもよい。その他の四角形としては、平行四辺形、正方形等が挙げられる。
【００５９】
［変形例２］
上記実施の形態では、長方形状の凹部５１１ａが可動刃６０の切断領域Ｒ１に対して一致するように配置されている場合を例示した。この変形例２では、凹部５１１ｄが切断領域Ｒ１に対して一致していない場合を例示する。
【００６０】
図７は、変形例２に係る固定刃５０Ｄなどを拡大して示す断面図である。なお、以降の説明において、上記実施の形態と同一の部分については同一の符号を付してその説明を省略する場合がある。
【００６１】
図７に示すように、変形例２に係る固定刃５０Ｄは、Ｘ軸方向視で長方形状の凹部５１１ｄを有している。具体的には、凹部５１１ｄは、可動刃６０の切断領域Ｒ１に対して、Ｙ軸方向における外方に位置ズレするように配置されている。この場合においても、肌Ｓに対する刺激を抑えることができ、毛Ｈをより短く切断することができる。
【００６２】
なお、凹部５１１ｄは切断領域Ｒ１に対して、Ｙ軸方向における内方に位置ズレするように配置されていてもよい。また、凹部５１１ｄは、全体として切断領域Ｒ１内に収まるように配置されていてもよいし、全体として切断領域Ｒ１からはみ出すように配置されていてもよい。
【００６３】
［変形例３］
上記実施の形態では、長方形状の凹部５１１ａを有する固定刃５０を例示した。この変形例１では、三角形状の凹部５１１ｅを有する固定刃５０Ｅについて例示する。
【００６４】
図８は、変形例３に係る固定刃５０Ｅなどを拡大して示す断面図である。なお、以降の説明において、上記実施の形態と同一の部分については同一の符号を付してその説明を省略する場合がある。
【００６５】
図８に示すように、変形例３に係る固定刃５０Ｅは、Ｘ軸方向視で三角形状の凹部５１１ｅを有している。具体的には、凹部５１１ｅは、Ｘ軸方向視で直角三角形状であり、その斜辺が外方に向かうにつれて低くなるように配置されている。このような凹部５１１ｅであっても肌Ｓに対する刺激を抑えることができ、毛Ｈをより短く切断することができる。
【００６６】
なお、凹部は、直角三角形以外の三角形であってもよい。さらに、凹部は、三角形、四角形以外の形状であってもよい。その他の形状としては、例えば、五角形以上の多角形状、半円状、半楕円状などが挙げられる。ただし、凹部は、いずれの形状においても、可動刃６０側が幅狭で、その反対側が幅広であると、変形例１と同等の効果を得ることができる。
【００６７】
［その他］
以上、本発明に係る体毛切断装置について、上記実施の形態に基づいて説明したが、本発明は、上記実施の形態に限定されるものではない。
【００６８】
例えば、上記実施の形態では、一つの第一単位刃５１２に対して、一対の凹部５１１ａが設けられている場合を例示した。しかしながら、一つの第一単位刃５１２における凹部の設置個数は一つでも三つ以上であってもよい。
【００６９】
また、上記実施の形態では、固定刃５０における複数の第一単位刃５１２の全てが、同形状の凹部５１１ａを同じ数だけ同じ位置に有している場合を例示した。しかしながら、固定刃における複数の第一単位刃には、他の第一単位刃と異なる凹部を備えた第一単位刃があってもよい。異なる凹部とは、形状、設置個数、設置箇所の少なくとも一つが異なる凹部である。
【００７０】
また、上記実施の形態では、凹部５１１ａが第一単位刃５１２に対してＸ軸方向で全体的に連続している場合を例示した。しかしながら、Ｘ軸方向における第一単位刃５１２の一部に凹部が設けられていてもよい。なお、この場合には、肌Ｓの形状を凹部から第一スリット５１１まで継続させるために、Ｘ軸方向における凹部の一端部が第一スリット５１１に対して連通していることが望ましい。
【００７１】
また、上記実施の形態では、体毛切断装置として電気カミソリ１を例示したが、体毛切断装置としては、体毛を切断する装置であれば如何なるものであってもよい。体毛切断装置のその他の例としては、バリカン、トリマーなどが挙げられる。
【００７２】
また、上記実施の形態では、駆動源として回転式の電動モータを例示した。しかしながら、駆動源としてリニアアクチュエータを用いることも可能である。この場合、変換機構は不要となり、リニアアクチュエータの駆動軸を連結部７０のリンク部７２に連結すればよい。
【００７３】
また、上記実施の形態では、可動刃６０のＹ軸方向の両側方に、固定刃５０の一対の基部５２１が設けられ、部分的に閉塞されている場合を例示した。しかしながら、可動刃６０のＹ軸方向の両側方が全体として開放されていてもよい。
【００７４】
また、その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【００７５】
本発明は、固定刃及び可動刃を有する体毛切断装置に対して適用可能である。
【符号の説明】
【００７６】
１  電気カミソリ（体毛切断装置）
１０  本体部
２０  ヘッド部
３０  基台
４０  ヘッドケース
５０、５０Ｃ、５０Ｄ、５０Ｅ  固定刃
５１  当接部
５１ａ、５１ｃ  当接面
５１ｂ、６０ａ  摺動面
５２  支持部
６０  可動刃
６０ｂ  連結面
６１  第二スリット
６２  第二単位刃
６３  中間部
７０  連結部
７１  台座
７２  リンク部
７３  突起
５１１  第一スリット
５１１ａ、５１１ｃ、５１１ｄ、５１１ｅ  凹部
５１２  第一単位刃
５２１  基部
５２２  柱部
Ｈ  毛
Ｒ１  切断領域
Ｒ２  非切断領域
Ｓ  肌
【図１】
2019209033.tif 000003
【図２】
2019209033.tif 000004
【図３】
2019209033.tif 000005
【図４】
2019209033.tif 000006
【図５】
2019209033.tif 000007
【図６】
2019209033.tif 000008
【図７】
2019209033.tif 000009
【図８】
2019209033.tif 000010